【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
複数のスペクトルバンドを有する光を入力ポートにおいて受け取り、該複数のスペクトルバンドのサブセットを複数の出力ポートのそれぞれに方向づける波長ルータであって、
該波長ルータは、
該入力ポートと該複数の出力ポートとの間に配置され、該複数のスペクトルバンドを経路設定する複数の光路を提供する自由空間光学縦列であって、該光学縦列は、該入力ポートから出てくる光を遮断するように配置された分散エレメントを含み、該光学縦列は、該複数の出力ポートのうちのいずれかに光が到達する前に該分散エレメントに２回当たるように構成されている、光学縦列と、
少なくとも１つの動的に構成可能なルーティングエレメントを有する経路設定メカニズムであって、該ルーティングエレメントは、該動的に構成可能なルーティングエレメントの状態に依存して所与のスペクトルバンドを複数の異なる出力ポートに方向づけ、該分散エレメントは、該動的に構成可能なルーティングエレメントの幅よりも細かい分解能を有するように構成されている、経路設定メカニズムと
を含む、波長ルータ。
【請求項２】
前記入力ポートは、入力ファイバの端部に配置されている、請求項１に記載の波長ルータ。
【請求項３】
前記複数の出力ポートは、複数の出力ファイバのそれぞれの端部に配置されている、請求項１に記載の波長ルータ。
【請求項４】
前記経路設定メカニズムは、少なくとも２つのスペクトルバンドを単一の出力ポートに方向づける構成を有する、請求項１に記載の波長ルータ。
【請求項５】
前記経路設定メカニズムは、少なくとも１つの出力ポートがスペクトルバンドを受け取らないことになる構成を有する、請求項１に記載の波長ルータ。
【請求項６】
前記スペクトルバンドの数は、前記出力ポートの数よりも多く、該出力ポートの数は、２よりも多い、請求項１に記載の波長ルータ。
【請求項７】
前記経路設定メカニズムは、複数の反射エレメントを含み、該複数の反射エレメントの各々は、前記複数のスペクトルバンドのそれぞれの１つのスペクトルバンドに関連付けられている、請求項１に記載の波長ルータ。
【請求項８】
前記動的に構成可能なエレメントは、並進自由度を有する、請求項１に記載の波長ルータ。
【請求項９】
前記動的に構成可能なエレメントは、回転自由度を有する、請求項１に記載の波長ルータ。
【請求項１０】
前記分散エレメントは、格子であり、
前記光学縦列は、該格子に取り込まれる光パワーを含む、請求項１に記載の波長ルータ。
【請求項１１】
前記光学縦列は、レンズを含み、
前記分散エレメントは、反射格子であり、
前記経路設定メカニズムは、複数の動的に構成可能なエレメントを含み、
前記入力ポートから来る光は、該レンズによってコリメートされ、前記複数のスペクトルバンドに対応する複数の角度別に区別されるビームとして該反射格子から反射され、
該角度別に区別されるビームは、該レンズによって該複数の動的に構成可能なエレメントのそれぞれのエレメント上に焦点が合わされ、
所与の動的に構成可能なエレメントの各々は、複数の状態を有し、該複数の状態の各々は、該動的に構成可能なエレメントのそれぞれの角度別に区別されるビームを複数の経路のうちの所望の１つに沿って方向づけるように適合され、これにより、該動的に構成可能なエレメントから出て行く光が該レンズによって再度コリメートされ、該反射格子によって反射され、該レンズにより、該複数の出力ポートのうち該複数の経路のうちの所望の１つの経路に対応する１つの出力ポート上に再度焦点が合わせられる、請求項１に記載の波長ルータ。
【請求項１２】
第１の数であるＮ個のスペクトルバンドを有する光を入力ポートにおいて受け取り、該Ｎ個のスペクトルバンドのサブセットを第２の数であるＭ個の出力ポートのそれぞれに方向づける波長ルータであって、
該波長ルータは、
該入力ポートと該出力ポートとの間に配置され、該スペクトルバンドを経路設定する光路を提供する自由空間光学縦列であって、
該入力ポートから出てくる光を遮断し、該スペクトルバンドを異なる角度に方向づけるように配置された分散エレメントと、
それぞれのスペクトルバンドを遮断し、該分散エレメントの方へ反対に方向づけるように配置された動的に構成可能な複数のＮ個の反射エレメントと
を含む、光学縦列と、
該光学縦列の中に配置された少なくとも１つの焦点合わせエレメントであって、該スペクトルバンドは、該複数の反射エレメント上に焦点が合わされ、該焦点合わせエレメントは、該出力ポートのうちのいずれかに光が到達する前に該光に４回当たるように構成されている、少なくとも１つの焦点合わせエレメントと
を含み、
該分散エレメントは、該複数の反射エレメントのうちの１つの幅よりも細かい分解能を有し、各経路設定されたチャネルには、比較的平坦な最高部を有するバンド形状を特徴とするスペクトル伝達関数が提供されている、波長ルータ。
【請求項１３】
前記分散エレメントは、反射格子であり、
前記光学縦列は、
前記入力ポートからの光を遮断し、該遮断された光をコリメートし、該コリメートされた光を該反射格子に方向づけ、該反射格子から反射された光を遮断し、該光の焦点を合わせ、各スペクトルバンドが異なる地点において焦点が合わされるように該焦点が合わされた光を経路に沿って方向づけるように配置されたレンズと、
該焦点が合わされたスペクトルバンドのそれぞれを遮断し、該スペクトルバンドを方向づけて、該レンズ、該反射格子、該レンズおよびそれぞれの出力ポートに当てるように配置された複数のＮ個の反射エレメントと
を含む、請求項１２に記載の波長ルータ。
【請求項１４】
前記分散エレメントは、透過型格子であり、
前記光学縦列は、
該透過型格子と前記入力ポートとの間に配置されたレンズと、
該透過型格子の該入力ポートから遠い側にある複数のＮ個の反射エレメントであって、光に該格子を通過させ、該反射エレメント上に到達させて、該透過型格子、該レンズおよび該出力ポートを通過させる反射エレメントと
を含む、請求項１２に記載の波長ルータ。
【請求項１５】
前記分散エレメントは、反射格子であり、
前記光学縦列は、
前記入力ポートからの光を遮断し、該遮断された光をコリメートし、該コリメートされた光を該反射格子に方向づけ、該反射格子から反射された光を遮断し、該光の焦点を合わせ、各スペクトルバンドが異なる地点において焦点が合わされるように該焦点が合わされた光を経路に沿って方向づけるように配置された曲面反射器と、
該焦点が合わされたスペクトルバンドのそれぞれを遮断し、該スペクトルバンドを方向づけて、該曲面反射器、該反射格子、該曲面反射器およびそれぞれの出力ポートに当てるように配置された複数のＮ個の反射エレメントと
を含む、請求項１２に記載の波長ルータ。
【請求項１６】
前記分散エレメントは、プリズムである、請求項１２に記載の波長ルータ。
【請求項１７】
前記光路は、超微細電子機器システム（ＭＥＭＳ）エレメントから構成された鏡を含む、請求項１２に記載の波長ルータ。
【請求項１８】
前記動的に構成可能なルーティングエレメントは、屋根型プリズムを含む逆反射体であり、
該動的に構成可能なルーティングエレメントの状態は、逆反射体の屋根型プリズムの横方向の位置によって規定される、請求項１に記載の波長ルータ。
【請求項１９】
前記動的に構成可能なルーティングエレメントは、逆反射体であり、該逆反射体は、屋根型プリズムと、該逆反射体の屋根型プリズムと光学的に接触するように構成された透明材料の相対運動が可能な関連ボディとを含み、
該動的に構成可能なルーティングエレメントは、該逆反射体の屋根型プリズムが関連ボディと光学的に接触しているかどうかによって、少なくとも部分的に規定される、請求項１に記載の波長ルータ。
【請求項２０】
第１の波長ルータおよび第２の波長ルータを含む波長アド−ドロップマルチプレクサであって、
各波長ルータは、複数のスペクトルバンドを有する光を入力ポートにおいて受け取り、該複数のスペクトルバンドのサブセットを複数の出力ポートのそれぞれに方向づけるように構成されており、
各波長ルータは、
該入力ポートと該複数の出力ポートとの間に配置され、該複数のスペクトルバンドを経路設定する複数の光路を提供する自由空間光学縦列であって、該光学縦列は、該入力ポートから出てくる光を遮断するように配置された分散エレメントを含み、該複数の出力ポートのうちのいずれかに光が到達する前に該光が該分散エレメントに２回当たる、光学縦列と、
少なくとも１つの動的に構成可能なルーティングエレメントを有する経路設定メカニズムであって、該ルーティングエレメントは、該動的に構成可能なルーティングエレメントの状態に依存して所与のスペクトルバンドを複数の異なる出力ポートに方向づけ、該分散エレメントは、該ルーティングエレメントの幅よりも細かい分解能を有するように構成されている、経路設定メカニズムと
を含み、
該第１の波長ルータおよび該第２の波長ルータは、該第２の波長ルータの出力ポートの対応する第１のサブセットと光通信状態にある該第１の波長ルータの出力ポートの第１のサブセットと反対方向に接続され、該第１の波長ルータの入力ポートは、上流ファイバと光通信状態にあり、該第２の波長ルータの入力ポートは、下流ファイバと光通信状態にあり、該第１の波長ルータの出力ポートおよび該第２の波長ルータの出力ポートのそれぞれの第２のサブセットは、該出力ポートの該第２のサブセットのうち一方からの光を受け取り、該出力ポートの該第２のサブセットのうち他方上に光を通信するネットワーク端子機器と通信状態にある、波長アド−ドロップマルチプレクサ。
【請求項２１】
前記分散エレメントは、格子である、請求項１に記載の波長ルータ。
【請求項２２】
前記分解能は、約３ｃｍよりも大きな経路長の差異によって達成される、請求項１に記載の波長ルータ。
【請求項２３】
前記分散エレメントは、格子である、請求項１２に記載の波長ルータ。
【請求項２４】
前記分解能は、約３ｃｍよりも大きな経路長の差異によって達成される、請求項１２に記載の波長ルータ。
【請求項２５】
請求項１に記載の第１の波長ルータ、第２の波長ルータ、第３の波長ルータおよび第４の波長ルータを含む波長選択性交差接続（ＷＳＸＣ）であって、
該第１の波長ルータおよび該第２の波長ルータは、該第２の波長ルータの出力ポートの対応する第１のサブセットと光通信状態にある該第１の波長ルータの出力ポートの第１のサブセットと反対方向に接続され、
該第３の波長ルータおよび該第４の波長ルータは、該第４の波長ルータの出力ポートの対応する第１のサブセットと光通信状態にある該第３の波長ルータの出力ポートの第１のサブセットと反対方向に接続され、
該第１の波長ルータの出力ポートの第２のサブセットは、該第４の波長ルータの出力ポートの対応する第２のサブセットと光通信状態にあり、
該第３の波長ルータの出力ポートの対応する第２のサブセットは、該第２の波長ルータの出力ポートの対応する第２のサブセットと光通信状態にあり、
これにより、
該第１の波長ルータの入力ポートおよび該第２の波長ルータの入力ポートは、該ＷＳＸＣのための第１の入力ポートおよび第２の入力ポートとして機能し、
該第３の波長ルータの入力ポートおよび該第４の波長ルータの入力ポートは、該ＷＳＸＣのための第１の出力ポートおよび第２の出力ポートとして機能し、
該第１の波長ルータの出力ポートと該第２の波長ルータの出力ポートとの第１のサブセット間の光通信と、該第３の波長ルータの出力ポートと該第４の波長ルータの出力ポートとの第１のサブセット間の光通信とは、該ＷＳＸＣのための通過経路を提供し、
該第１の波長ルータの出力ポートと該第４の波長ルータの出力ポートとの第２のサブセット間の光通信と、該第３の波長ルータの出力ポートと該第２の波長ルータの出力ポートとの第２のサブセット間の光通信とは、該ＷＳＸＣのための交換経路を提供する、ＷＳＸＣ。